(57)【要約】【課題】デジタル放送とアナログ放送を受信可能な受信装置においてデジタル放送の受信状態によりデジタル放送とアナログ放送を切り換えて表示出力等を行なう場合に、デジタル放送の受信状態が不安定な場合であってもデジタル放送とアナログ放送とが頻繁に切り換わることを軽減する受信装置を提供する。【解決手段】デジタル放送信号の受信状態が所定の条件を満たしているか判断し、デジタル放送信号が映像音声出力のために処理されている際に、デジタル放送信号の受信状態が切換条件を満たした場合はアナログ放送信号を処理するように切り換え、切り換え後、デジタル放送信号の受信状態が所定の時間継続的に復帰条件を満たした場合にはデジタル放送信号を処理するように切換復帰させる機能を有する受信装置を提案する。【選択図】図１
2007124390.tif 000002
【特許請求の範囲】
【請求項１】
デジタル放送とアナログ放送を受信可能な受信装置であって、
受信したデジタル放送信号を出力するデジタル放送信号出力部と、
受信したアナログ放送信号を出力するアナログ放送信号出力部と、
デジタル放送信号出力又はアナログ放送信号出力を映像音声出力処理する処理部と、
前記デジタル放送信号出力を処理部に入力するか又は、前記アナログ放送信号出力を処理部に入力するか、を切り換える切換部と、
デジタル放送信号の受信状態が所定の条件を満たしているか判断する安定状態判断部と、を有し、
前記切換部は、
デジタル放送信号出力が前記処理部にて処理されている際に、前記安定状態判断部での判断結果が切換条件を満たした場合は、処理部への入力をアナログ放送信号出力に切り換えるアナログ切換手段と、
前記アナログ切換手段による切換後に前記安定状態判断部における判断結果が所定の時間継続的に復帰条件を満たしているとの判断結果であった場合には、処理部への入力を前記デジタル放送信号出力に切換復帰させるデジタル復帰手段と、
を有する受信装置。
【請求項２】
前記デジタル復帰手段が切換復帰するための安定状態判断部で継続的に復帰条件を満たしたか判断する所定の時間である第一基準時間を保持する第一基準時間保持部と、
第一基準時間保持部に保持されている第一基準時間を管理する管理部と、
を有する請求項１に記載の受信装置。
【請求項３】
前記切換部は、
前記デジタル復帰手段での復帰後に前記安定状態判断部における判断結果が所定の時間である第二基準時間内に切換条件を満たしたとの判断結果である場合は、前記アナログ切換手段による切換後の前記安定状態判断部における判断結果が第一基準時間より長い時間である第三基準時間継続的に復帰条件を満たしているとの判断結果である場合にのみ処理部への入力を前記デジタル放送信号出力に切換復帰させる第二デジタル復帰手段を有する請求項２に記載の受信装置。
【請求項４】
前記切換部は、
前記アナログ切換手段による切換後に前記デジタル復帰手段又は／及び前記第二デジタル復帰手段による復帰切換と、アナログ切換手段による切換が、所定の時間である第四基準時間内に所定の回数実行されたか判断する復帰後切換回数判断手段と、
前記復帰後切換回数判断手段での判断結果が所定の回数実行されたとの判断結果である場合には、前記デジタル復帰手段又は／及び前記第二デジタル復帰手段による復帰処理を不可とする復帰処理中止命令を出力する復帰処理中止命令出力手段と、
前記復帰処理中止命令出力手段により中止している前記デジタル復帰手段又は／及び前記第二デジタル復帰手段による復帰処理の再開を可能とする処理を実行する復帰処理中止命令キャンセル手段と、
を有する請求項１から３のいずれか一に記載の受信装置。
【請求項５】
受信したデジタル放送信号を出力するデジタル放送信号出力部と、受信したアナログ放送信号を出力するアナログ放送信号出力部と、デジタル放送信号出力又はアナログ放送信号出力を映像音声出力処理する処理部と、を有するデジタル放送とアナログ放送を受信可能な受信装置の動作方法であって
前記デジタル放送信号出力を処理部に入力するか又は、前記アナログ放送信号出力を処理部に入力するか、を切り換える切換ステップと、
デジタル放送信号の受信状態が所定の条件を満たしているか判断する安定状態判断ステップと、を有し、
前記切換ステップは、
デジタル放送信号出力が前記処理部にて処理されている際に、前記安定状態判断ステップでの判断結果が切換条件を満たした場合は、処理部への入力をアナログ放送信号出力に切り換えるアナログ切換サブステップと、
前記アナログ切換サブステップによる切換後に前記安定状態判断ステップにおける判断結果が所定の時間継続的に復帰条件を満たしているとの判断結果であった場合には、処理部への入力を前記デジタル放送信号出力に切換復帰させるデジタル復帰サブステップと、
を有する受信装置の動作方法。
【請求項６】
前記デジタル復帰サブステップが切換復帰するための安定状態判断ステップで継続的に復帰条件を満たしたか判断する所定の時間である第一基準時間を保持する第一基準時間保持部と、をさらに有する受信装置の動作方法であって、
前記切換ステップは、
前記デジタル復帰サブステップでの復帰後に前記安定状態判断ステップにおける判断結果が所定の時間である第二基準時間内に切換条件を満たしたとの判断結果である場合は、前記アナログ切換サブステップによる切換後の前記安定状態判断ステップにおける判断結果が第一基準時間より長い時間である第三基準時間継続的に復帰条件を満たしているとの判断結果である場合にのみ処理部への入力を前記デジタル放送信号出力に切換復帰させる第二デジタル復帰サブステップを有する請求項５に記載の受信装置の動作方法。
【請求項７】
前記切換ステップは、
前記アナログ切換サブステップによる切換後に前記デジタル復帰サブステップ又は／及び前記第二デジタル復帰サブステップによる復帰切換と、アナログ切換サブステップによる切換が、所定の時間である第四基準時間内に所定の回数実行されたか判断する復帰後切換回数判断サブステップと、
前記復帰後切換回数判断サブステップでの判断結果が所定の回数実行されたとの判断結果である場合には、前記デジタル復帰サブステップ又は／及び前記第二デジタル復帰サブステップによる復帰処理を不可とする復帰処理中止命令を出力する復帰処理中止命令出力サブステップと、
前記復帰処理中止命令出力サブステップにより中止している前記デジタル復帰サブステップ又は／及び前記第二デジタル復帰サブステップによる復帰処理の再開を可能とする処理を実行する復帰処理中止命令キャンセルサブステップと、
を有する請求項５又は６に記載の受信装置の動作方法。
【発明の詳細な説明】
【技術分野】
【０００１】
本発明は、デジタル放送及びアナログ放送を受信可能な受信装置に関する。
【背景技術】
【０００２】
近年、デジタル放送とアナログ放送にて同一番組を放送する、いわゆるサイマル放送が実施されており、そのような状況下において、デジタル放送とアナログ放送の両方を受信可能なテレビ放送受信装置が存在する。
【０００３】
ところで、図２０に示すように、アナログ放送においては放送波の受信状態が悪くなるにつれて徐々に画像や音声の品質が劣化していくのに対し（グラフＡ）、デジタル放送においては放送波の受信状態が悪くなっても、ある程度までは品質の劣化が極めて少なく良好な状態を保つが、受信状態があるレベル以下に悪化すると急激に品質が低下する（グラフＢ）。これは、デジタル放送では伝送中の信号の劣化を補正する誤り訂正処理が行なわれるため、訂正処理が可能なレベルの放送信号を受信できる間は画像等も良好な品質が保たれるが、放送信号のレベルが訂正処理の限界を超えると急に画像等が表示出力等できなくなる為である。（アナログ放送では放送波の強度によって画像等の品質が左右される。）なお、図２０にも示すように、デジタル放送では画像等が表示出力等できないような受信状態（レベルＸ）においても、アナログ放送では品質の劣化はあるものの、ある程度の品質の画像等を表示出力等することが可能である。このようなアナログ放送とデジタル放送の特性を利用して、例えば、特許文献１においては、デジタル放送とアナログ放送を受信可能な放送受信装置であって、デジタル放送の受信状態があるレベル以下に劣化するとアナログ放送信号を表示出力等し、デジタル放送の受信状態があるレベル以上になるとデジタル放送を表示出力等するように切り換えることが可能な放送受信装置が開示されている。
【特許文献１】特開２００１−２１７７３５
【発明の開示】
【発明が解決しようとする課題】
【０００４】
しかしながら、特許文献１のような放送受信装置においては、デジタル放送の受信状態が不安定であるような場合にはデジタル放送とアナログ放送とが頻繁に切り換わることとなり、番組等を視聴しているユーザに不快感を生じさせる可能性がある。
【課題を解決するための手段】
【０００５】
そこで、本発明においては、デジタル放送とアナログ放送を受信可能な受信装置であって、デジタル放送信号の受信状態が所定の条件を満たしているか判断し、デジタル放送信号が映像音声出力のために処理されている際に、デジタル放送信号の受信状態が所定の切換条件を満たした場合はアナログ放送信号を処理するように切り換え、切り換え後、デジタル放送信号の受信状態が所定の時間継続的に復帰条件を満たした場合にはデジタル放送信号を処理するように切換復帰させる機能を有する受信装置を提案する。また、デジタル放送信号を処理するように切換復帰させるために継続的に復帰条件を満たしたか判断する所定の時間である第一基準時間を保持し、第一基準時間を管理できるようになっていてもよい。また、デジタル放送信号を処理するように切換復帰させた後、第二基準時間内にアナログ放送信号を処理する切換条件を満たした場合には、アナログ放送信号を処理するように切り換えた後、デジタル放送信号の受信状態が第一基準時間よりも長い時間である第三基準時間継続的に復帰条件を満たした場合にのみ、デジタル放送信号を処理するように切換復帰させるようになっていてもよい。また、アナログ放送信号を処理するように切り換えた後、デジタル放送信号を処理するための復帰切換とアナログ放送信号を処理するための切換が、所定の時間である第四基準時間内に所定の回数実行された場合には、デジタル放送信号を処理するための復帰切換を不可とするようになっていてもよい。
【発明の効果】
【０００６】
本発明の受信装置においては、デジタル放送信号の受信状態が不安定であるような場合であっても、デジタル放送とアナログ放送とが頻繁に切り換わることを軽減し、ユーザの視聴環境を改善することができる。なお、本発明の受信装置はサイマル放送に限定されないが、サイマル放送の場合に特に効を奏する。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、５などについて説明する。実施形態２は、主に請求項２などについて説明する。実施形態３は、主に請求項３、６などについて説明する。実施形態４は、主に請求項４、７などについて説明する。
（実施形態１）
【０００８】
（実施形態１：概要）実施形態１は、デジタル放送とアナログ放送を受信可能な受信装置であって、デジタル放送信号の受信状態が所定の条件を満たしているか判断し、デジタル放送信号が映像音声出力のために処理されている際に、デジタル放送信号の受信状態が所定の切換条件を満たした場合はアナログ放送信号を処理するように切り換え、切り換え後、デジタル放送信号の受信状態が所定の時間継続的に復帰条件を満たした場合にはデジタル放送信号を処理するように切換復帰させる機能を有する受信装置について説明する。
【０００９】
（実施形態１：構成）本実施形態に係る受信装置の機能ブロックを図１に例示する。受信装置（０１００）は、「デジタル放送信号出力部」（０１０１）と、「アナログ放送信号出力部」（０１０２）と、「処理部」（０１０３）と、「切換部」（０１０４）と、「安定状態判断部」（０１０５）と、を有する。また、前記切換部（０１０４）は、「アナログ切換手段」（０１０６）と、「デジタル復帰手段」（０１０７）と、を有する。前記受信装置（０１００）は、デジタル放送とアナログ放送を受信可能な受信装置である。なお、本発明が対象とするデジタル放送は、日本国内、日本国外を問わず、２００５年１０月２１日時点において提供されているデジタル放送全般である。また、受信装置（０１００）にて受信するデジタル放送とアナログ放送はテレビ放送のみならずラジオ放送であってもよい。
【００１０】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２は一般的なコンピュータの構成を例示する図でありコンピュータが主にＣＰＵ（０２１０）、入出力インタフェース（Ｉ／Ｏ）（０２２０）、ハードディスク（ＨＤＤ）（０２３０）、ＲＡＭ（０２４０）、ＲＯＭ（０２５０）等から構成されることを示しているが、本件発明に係る受信装置は図２と同様の構成にて実現される。（明細書の全体を通じて同様である。）
【００１１】
「デジタル放送信号出力部」（０１０１）は、受信したデジタル放送信号を出力する機能を有する。デジタル放送信号の出力先は、主に切換部（０１０４）である。図３は、デジタル放送信号出力部のハードウェア構成の一例を示す。デジタル放送信号出力部は、例えば、デジタル放送波を受信するデジタル放送用アンテナ（０３０１）と、デジタル放送チューナ（０３０２）と、デジタル放送信号処理機構（０３０３）から構成される場合が考えられる。デジタル放送チューナ（０３０２）は、主に、受信するデジタル放送波の周波数を決定し、デジタル放送用アンテナ（０３０１）によってデジタル放送波を受信する。さらに、受信したデジタル放送波に復調等の処理を行ない、例えば、デジタル放送にて一般的に利用されるＭＰＥＧ（Ｍｏｖｉｎｇ  Ｐｉｃｔｕｒｅ  Ｅｘｐｅｒｔｓ  Ｇｒｏｕｐ）−２のＴＳ（Ｔｒａｎｓｐｏｒｔ  Ｓｔｒｅａｍ）を出力する。デジタル放送信号処理機構（０３０３）は、主に、デジタル放送チューナ（０３０２）にて出力されたＴＳを、オーディオストリーム、ビデオストリーム、ＳＩ等を含むセクションデータに分離し、分離したオーディオストリーム、ビデオストリーム、セクションデータをそれぞれ別々にデコード（復号）処理して出力する。なお、デジタル放送信号処理機構（０３０２）における処理後に、ＢＥＲ（符号誤り率：Ｂｉｔ  Ｅｒｒｏｒ  Ｒａｔｅ）値やＣ／Ｎ比（Ｃａｒｒｉｅｒ  ｔｏ  Ｎｏｉｓｅ  Ｒａｔｅ）などを得ることができる。ＢＥＲ値やＣ／Ｎ比などは、前記安定状態判断部（０１０５）で利用される。また、デジタル放送信号出力部は、このような処理をＣＰＵに実行させるためのプログラムを含んでいてもよい。
【００１２】
「アナログ放送信号出力部」（０１０２）は、受信したアナログ放送信号を出力する機能を有する。アナログ放送信号の出力先は、主に切換部（０１０４）である。図４は、アナログ放送信号出力部のハードウェア構成の一例を示す。アナログ放送信号出力部は、例えば、アナログ放送波を受信するアナログ放送用アンテナ（０４０１）と、アナログ放送チューナ（０４０２）と、アナログ放送信号処理機構（０４０３）から構成される場合が考えられる。アナログ放送チューナ（０４０２）は、主に、受信するアナログ放送波の周波数を決定し、アナログ放送用アンテナ（０４０１）によってアナログ放送波を受信する。アナログ放送信号処理機構（０４０３）は、主に、アナログ放送チューナ（０４０２）にて受信したアナログ放送波に復調等の処理を行ない、映像信号と音声信号を出力する。また、アナログ放送信号出力部は、このような処理を実行するためのプログラムを含んでいてもよい。
【００１３】
「処理部」（０１０３）は、デジタル放送信号出力又はアナログ放送信号出力を映像音声出力処理する機能を有する。「デジタル放送信号出力」とは、前記デジタル放送信号出力部（０１０１）から出力されるデジタル放送信号を指す。また、「アナログ放送信号出力」とは、前記アナログ放送信号出力部（０１０２）から出力されるアナログ放送信号を指す。「映像音声出力処理」とは、前記デジタル放送信号出力又は前記アナログ放送信号出力に含まれる映像信号をディスプレイ等の映像出力装置にて表示するための処理や音声信号をスピーカー等の音声出力装置にて出力するための処理を意味する。より具体的には、例えば、音声信号においてはスピーカー等から出力するために行なわれる増幅処理などが該当し、映像信号においては含まれている輝度信号や色差信号に基づいてマトリクス回路にてＲＧＢ値を生成する処理などが該当する。また、処理部は、このような処理をＣＰＵに実行させるためのプログラムを含んでいてもよい。
【００１４】
「切換部」（０１０４）は、前記デジタル放送信号出力を処理部（０１０３）に入力するか又は、前記アナログ放送信号出力を処理部（０１０３）に入力するか、を切り換える機能を有する。「切り換える」とは、具体的には、例えばデジタル放送信号が出力される回路とアナログ放送信号が出力される回路をスイッチ等により切り換えることで実現可能である。切換部における切り換えの主な要因としては、後に詳述する安定状態判断部（０１０５）における判断結果である。この場合の切換部の具体的な処理としては、安定状態判断部（０１０５）においてＲＡＭ等の所定の記憶領域に格納された判断結果を読出し、読出した判断結果に基づいて、前記デジタル放送信号出力を処理部（０１０３）に入力する、又は、前記アナログ放送信号出力を処理部（０１０３）に入力する、という判断結果を示す情報をＲＡＭ等の所定の記憶領域に格納する。さらに、所定の記憶領域から判断結果を読出してスイッチ機構を作動させる。また、切換部はこのような処理をＣＰＵに実行させるためのプログラムを含んでいてもよい。また、切換部（０１０４）はアナログ切換手段（０１０６）とデジタル復帰手段（０１０７）を有するが、アナログ切換手段（０１０６）は処理部（０１０３）への入力をデジタル放送信号からアナログ信号へ切り換え、デジタル復帰手段（０１０７）は処理部（０１０３）への入力をアナログ放送信号からデジタル信号へ切り換える役目を果たす。
【００１５】
「安定状態判断部」（０１０５）は、デジタル放送信号の受信状態が所定の条件を満たしているか判断する機能を有する。「デジタル放送信号の受信状態」とは、具体的には、ＢＥＲ値やＣ／Ｎ比などにより表されることが想定される。「所定の条件」とは、具体的には、切換条件や復帰条件などである。切換条件とは後述のアナログ切換手段（０１０６）によって処理部（０１０３）への入力をデジタル放送信号からアナログ信号へ切り換える条件であり、復帰条件とは後述のデジタル復帰手段（０１０７）によって処理部（０１０３）への入力をアナログ放送信号からデジタル放送信号へ切り換える条件である。図５は、切換条件と復帰条件の一例を示す。図５では、切換条件と復帰条件がＢＥＲ値の大きさに基づいて設定されている場合を示しており、切換条件としてＢＥＲ値が１×１０−６以上であること、復帰条件としてＢＥＲ値が１×１０−７未満であることを示している（このＢＥＲ値はあくまで一例である）。ただし、復帰条件において"（Ｔｘ時間継続）"とあるのは、示された復帰条件がＴｘ時間継続的に満たされることをさらなる条件として、安定状態判断部にてデジタル放送信号の受信状態が所定の条件を満たしているとの判断結果がなされることを意味している。つまり、この場合の「所定の条件」は、Ｔｘ時間継続的にＢＥＲ値が１×１０−７未満であること、となる。また、Ｃ／Ｎ比の大きさに基づいて設定されている場合なども考えられる。すなわち、安定状態判断部はデジタル放送信号の受信状態を示すＢＥＲ値やＣ／Ｎ比等を取得し、図５のような所定の条件と比較処理し、比較結果を出力等する。さらに具体的には、安定状態判断部は、例えば前記デジタル放送信号出力部（０１０１）にてＲＡＭ等の所定の記憶領域に格納されたＢＥＲ値やＣ／Ｎ比等と、ＲＡＭやＨＤＤ等の所定の記憶領域に格納されている図５のような所定の条件とを読出す。読出したＢＥＲ値やＣ／Ｎ比等と所定の条件を比較し、比較結果をＲＡＭ等の所定の記憶領域に格納する。また、安定状態判断部は、このような処理をＣＰＵに実行させるためのプログラムを含んでいてもよい。
【００１６】
「アナログ切換手段」（０１０６）は、デジタル放送信号出力が前記処理部（０１０３）にて処理されている際に、前記安定状態判断部（０１０５）での判断結果が切換条件を満たした場合は、処理部（０１０３）への入力をアナログ放送信号出力に切り換える機能を有する。
【００１７】
「デジタル復帰手段」（０１０７）は、前記アナログ切換手段（０１０６）による切換後に前記安定状態判断部（０１０５）における判断結果が所定の時間継続的に復帰条件を満たしているとの判断結果であった場合には、処理部（０１０３）への入力を前記デジタル放送信号出力に切換復帰させる機能を有する。
【００１８】
図６を用いて、アナログ切換手段とデジタル復帰手段における処理を説明する。なお、切換条件と復帰条件は図５に示した条件と同一であるとする。グラフ０６０１は、デジタル放送信号におけるＢＥＲ値に基づいて「１／ＢＥＲ値」の遷移を示したグラフである。初期状態としてはデジタル放送信号の受信状態が良好であって、デジタル放送信号出力が前記処理部にて処理されていたとする。初期状態から、時刻（Ａ）において１／ＢＥＲ値が切換条件である"ＢＥＲ値≧１×１０−６"を満たすため、アナログ切換手段（０１０６）によって処理部への入力がアナログ放送信号出力に切り換えられる。次に、時刻（Ｂ）において復帰条件である"ＢＥＲ値<１×１０−７"を満たしたとする。しかしながら、さらに復帰条件である"ＢＥＲ値<１×１０−７"の状態が"Ｔｘ"時間継続することが必要であるので、時刻（Ｂ）から"Ｔｘ"時間経過した時刻（Ｃ）においてデジタル復帰手段（０１０７）によって処理部への入力がデジタル放送信号出力に切り換えられる。また、図７は図６と同様に、グラフ０７０１にてデジタル放送信号におけるＢＥＲ値に基づいて「１／ＢＥＲ値」の遷移を示している。図６と同様に、時刻（Ａ）において１／ＢＥＲ値が切換条件である"ＢＥＲ値≧１×１０−６"を満たすため、アナログ切換手段（０１０６）によって処理部への入力がアナログ放送信号出力に切り換えられる。次に、時刻（Ｂ）において復帰条件である"ＢＥＲ値<１×１０−７"を満たしたとする。しかしながら、その後"Ｔｘ"時間の間、継続的に"ＢＥＲ値<１×１０−７"を満たさなかったので、このような場合ではデジタル復帰手段（０１０７）による処理は行なわれない。デジタル放送信号の受信状態が不安定である場合などは図７のような状況となり得るが、デジタル復帰手段（０１０７）における処理を実行する条件として所定の時間（本例の場合はＴｘ）継続的に復帰条件を満たすこととしているので、頻繁にアナログ放送とデジタル放送が切り換わることを軽減することが可能である。
【００１９】
（実施形態１：処理の流れ）図８は、本実施形態に係る受信装置における処理の流れを示すフロー図を例示する。
【００２０】
最初に、デジタル放送信号出力を映像音声出力処理する。この処理は、主に処理部によって実行される（ステップＳ０８０１）。次に、デジタル放送信号の受信状態が切換条件を満たしているか判断する。ここでの判断結果が満たしているとの判断結果であった場合には、ステップＳ０８０３に移行する。ここでの判断結果が満たしていないとの判断結果であった場合には、本ステップを繰り返す。この処理は、主に安定状態判断部によって実行される（ステップＳ０８０２）。次に、ステップＳ０８０２における判断結果が満たしているとの判断結果であった場合には、処理部への入力をアナログ放送信号出力に切り換える。この処理は、主にアナログ切換手段によって実行される（ステップＳ０８０３）。次に、ステップＳ０８０３にて処理部への入力がアナログ放送信号出力に切り換えられたことにより、アナログ放送信号出力を映像音声出力処理する。この処理は、主に処理部によって実行される（ステップＳ０８０４）。次に、デジタル放送信号の受信状態が所定の時間継続的に復帰条件を満たしているか判断する。ここでの判断結果が満たしているとの判断結果であった場合には、ステップＳ０８０６に移行する。ここでの判断結果が満たしていないとの判断結果であった場合には、本ステップを繰り返す。この処理は、主に安定状態判断部によって実行される（ステップＳ０８０５）。次に、ステップＳ０８０５における判断結果が満たしているとの判断結果であった場合には、処理部への入力をデジタル放送信号出力に切り換える。この処理は、主にデジタル復帰手段によって実行される（ステップＳ０８０６）。最後に、処理を終了するか判断する。ここでの判断が終了するとの判断結果であった場合には処理を終了する。ここでの判断が終了しないとの判断であった場合にはステップＳ０８０１に戻る。なお、処理が終了する場合とは、主に受信装置の電源がＯＦＦとなる等して受信装置による視聴が終了した場合等が該当する（ステップＳ０８０７）。
【００２１】
（実施形態１：効果）本実施形態に係る受信装置においては、デジタル放送信号の受信状態が不安定であるような場合であっても、デジタル放送とアナログ放送とが頻繁に切り換わることを軽減し、ユーザの視聴環境を改善することができる。
（実施形態２）
【００２２】
（実施形態２：概要）実施形態２は、デジタル復帰手段が切換復帰するための安定状態判断部で継続的に復帰条件を満たしたか判断する所定の時間である第一基準時間を保持し、さらに第一基準時間を管理することが可能な受信装置について説明する。
【００２３】
（実施形態２：構成）本実施形態に係る受信装置の機能ブロックを図９に例示する。受信装置（０９００）は、「デジタル放送信号出力部」（０９０１）と、「アナログ放送信号出力部」（０９０２）と、「処理部」（０９０３）と、「切換部」（０９０４）と、「安定状態判断部」（０９０５）と、「第一基準時間保持部」（０９０８）と、「管理部」（０９０９）と、を有する。また、前記切換部（０９０４）は、「アナログ切換手段」（０９０６）と、「デジタル復帰手段」（０９０７）と、を有する。すなわち、本実施形態に係る受信装置の構成は、実施形態１の受信装置の構成に「第一基準時間保持部」（０９０８）と、「管理部」（０９０９）を加えた構成となっている。
【００２４】
「第一基準時間保持部」（０９０８）は、前記デジタル復帰手段（０９０７）が切換復帰するための安定状態判断部（０９０５）で継続的に復帰条件を満たしたか判断する所定の時間である第一基準時間を保持する機能を有する。すなわち、前記デジタル復帰手段（０９０７）においては、前記アナログ切換手段（０９０６）により切換後に前記安定状態判断部（０９０５）における判断結果が第一基準時間保持部（０９０８）に保持されている第一基準時間継続的に復帰条件を満たしているとの判断結果であった場合には、処理部（０９０３）への入力を前記デジタル放送信号出力に切換復帰させる。図１０は、第一基準時間保持部の具体例を示す。図１０においては、第一基準時間として"３．０秒"という値を保持している場合を示す。第一基準時間保持部は、具体的には、例えば図１０のような第一基準時間がＲＡＭやＨＤＤ等の所定の記憶領域に保持されることにより実現される。
【００２５】
「管理部」（０９０９）は、第一基準時間保持部（０９０８）に保持されている第一基準時間を管理する機能を有する。「管理」とは、主に変更を意味する。図１１は、管理部における処理の具体例を示す。第一基準時間保持部（１１０１）においては、図１０に例示したような第一基準時間がデータベースの「時間設定テーブル」に保持されているとする。このような場合においては、管理部（１１０２）では「ｕｐｄａｔｅ  時間設定  ｓｅｔ  時間＝’３．５’  ｗｈｅｒｅ  設定項目＝’第一基準時間’」というようなＳＱＬ更新クエリーを生成し、第一基準時間保持部（１１０１）に保持されている時間設定テーブルに対して実行する。さらに、管理部は第一基準時間の管理をするためのＧＵＩ（Ｇｒａｐｈｉｃａｌ  Ｕｓｅｒ  Ｉｎｔｅｒｆａｃｅ）（１１０３）を有していてもよい。例えば、ユーザは時間設定画面上にて第一基準時間の設定時間を、キーボードや、タッチパネル、タッチペン等のポインティングデバイスなどの入力装置によって文字入力等できるようになっていてもよい。管理部がこのようなＧＵＩを有していると、第一基準時間の管理が容易となり便利である。また、管理部は以上のような処理をＣＰＵに実行させるためのプログラムを含んでいてもよく、例えば、ＧＵＩから入力された第一基準時間の設定値をＲＡＭ等の所定の記憶領域に格納する。さらに、第一基準時間の設定値を所定の記憶領域から読出し、ＳＱＬ更新クエリーを生成しＲＡＭ等の所定の記憶領域に格納する。また、ＳＱＬ更新クエリーを所定の記憶領域から読出し、前記第一基準時間保持部（０９０８）にてＲＡＭやＨＤＤ等の所定の記憶領域に格納されているデータベースに対して実行する。
【００２６】
（実施形態２：処理の流れ）本実施形態に係る受信装置における処理の流れは、実施形態１に係る受信装置における処理の流れと同様である。ただし、第一基準時間保持部に保持されている第一基準時間を管理する処理を随時実行することを特徴とする。
【００２７】
（実施形態２：効果）本実施形態に係る受信装置においては、デジタル復帰手段が切換復帰するための安定状態判断部で継続的に復帰条件を満たしたか判断する所定の時間である第一基準時間を保持し、さらに第一基準時間を変更等することができる。これにより、例えばデジタル放送信号の受信状態に応じて、第一基準時間を適切な値に設定すること等が可能である。
（実施形態３）
【００２８】
（実施形態３：概要）実施形態３は、デジタル復帰手段での復帰後に短時間内に再度アナログ切換手段にて切換が実行された場合には、第一基準時間より長い時間である第三基準時間継続的に復帰条件を満たしている場合にのみ、処理部への入力をデジタル放送信号出力に切換復帰させることを特徴とする受信装置について説明する。
【００２９】
（実施形態３：構成）本実施形態に係る受信装置の機能ブロックを図１２に例示する。受信装置（１２００）は、「デジタル放送信号出力部」（１２０１）と、「アナログ放送信号出力部」（１２０２）と、「処理部」（１２０３）と、「切換部」（１２０４）と、「安定状態判断部」（１２０５）と、「第一基準時間保持部」（１２０８）と、「管理部」（１２０９）と、を有する。また、前記切換部（１２０４）は、「アナログ切換手段」（１２０６）と、「デジタル復帰手段」（１２０７）と、「第二デジタル復帰手段」（１２１０）と、を有する。すなわち、本実施形態に係る受信装置の構成は、実施形態２の受信装置の構成に「第二デジタル復帰手段」（１２１０）を加えた構成となっている。
【００３０】
「第二デジタル復帰手段」（１２１０）は、前記デジタル復帰手段（１２０７）での復帰後に前記安定状態判断部（１２０５）における判断結果が所定の時間である第二基準時間内に切換条件を満たしたとの判断結果である場合は、前記アナログ切換手段（１２０６）による切換後の前記安定状態判断部（１２０５）における判断結果が第一基準時間より長い時間である第三基準時間継続的に復帰条件を満たしているとの判断結果である場合にのみ処理部（１２０３）への入力を前記デジタル放送信号出力に切換復帰させる機能を有する。図１３を用いて、第二デジタル復帰手段における処理を説明する。なお、切換条件と復帰条件は図５に示した条件と同一であるとする。また、「Ｔ１」、「Ｔ２」、「Ｔ３」はそれぞれ、第一基準時間、第二基準時間、第三基準時間を表す。よって、"Ｔ１<Ｔ３"の関係が成り立っている。図１３は図６、図７と同様に、グラフ１３０１にてデジタル放送信号におけるＢＥＲ値に基づいて「１／ＢＥＲ値」の遷移を示している。また、初期状態としてはデジタル放送信号の受信状態が良好であって、デジタル放送信号出力が前記処理部にて処理されていたとする。初期状態から、時刻（Ａ）において１／ＢＥＲ値が切換条件である"ＢＥＲ値≧１×１０−６"を満たすため、アナログ切換手段（１２０６）によって処理部への入力がアナログ放送信号出力に切り換えられる。次に、時刻（Ｂ）において復帰条件である"ＢＥＲ値<１×１０−７"を満たしたとする。しかしながら、さらに復帰条件である"ＢＥＲ値<１×１０−７"の状態が"Ｔ１"時間継続することが必要であるので、時刻（Ｂ）から"Ｔ１"時間経過した時刻（Ｃ）においてデジタル復帰手段（１２０７）によって処理部への入力がデジタル放送信号出力に切り換えられる。次に、デジタル復帰手段での復帰後、"Ｔ２"時間後の時刻（Ｄ）に再度、切換条件である"ＢＥＲ値≧１×１０−６"を満たすため、アナログ切換手段（１２０６）によって処理部への入力がアナログ放送信号出力に切り換えられたとする。この場合には、その後、時刻（Ｅ）において復帰条件である"ＢＥＲ値<１×１０−７"を満たした場合には、復帰条件である"ＢＥＲ値<１×１０−７"の状態が"Ｔ１"時間よりも長い時間である"Ｔ３"時間経過した時刻（Ｆ）においてデジタル復帰手段（１２０７）によって処理部への入力がデジタル放送信号出力に切り換えられる。このように、デジタル復帰手段（１２０７）における処理を実行する条件として第一基準時間よりも長い時間である第三基準時間継続的に復帰条件を満たすこととしているので、第一基準時間で切り換えても頻繁にアナログ放送とデジタル放送が切り換わってしまう場合等に第三基準時間を利用して頻繁にアナログ放送とデジタル放送が切り換わることを軽減することができる。なお、第二基準時間と第三基準時間は受信装置内のＲＡＭやＨＤＤ等の所定の記憶領域などに格納されていることが想定され、さらに前記第一基準時間と同様に変更等が可能となっていてもよい。
【００３１】
（実施形態３：処理の流れ）図１４は、本実施形態に係る受信装置における処理の流れを示すフロー図を例示する。
【００３２】
最初に、デジタル放送信号出力を映像音声出力処理する。この処理は、主に処理部によって実行される（ステップＳ１４０１）。次に、デジタル放送信号の受信状態が切換条件を満たしているか判断する。ここでの判断結果が満たしているとの判断結果であった場合には、ステップＳ１４０３に移行する。ここでの判断結果が満たしていないとの判断結果であった場合には、本ステップを繰り返す。この処理は、主に安定状態判断部によって実行される（ステップＳ１４０２）。次に、ステップＳ１４０２における判断結果が満たしているとの判断結果であった場合には、処理部への入力をアナログ放送信号出力に切り換える。この処理は、主にアナログ切換手段によって実行される（ステップＳ１４０３）。次に、ステップＳ１４０３にて処理部への入力がアナログ放送信号出力に切り換えられたことにより、アナログ放送信号出力を映像音声出力処理する。この処理は、主に処理部によって実行される（ステップＳ１４０４）。次に、第二基準時間が経過しているか判断する。ここでの判断結果が経過しているとの判断であった場合には、ステップＳ１４０７に移行する。ここでの判断結果が経過していないとの判断であった場合には、ステップＳ１４０６に移行する。この処理は、主に安定状態判断部によって実行される（ステップＳ１４０５）。ステップＳ１４０５における判断結果が経過していないとの判断結果であった場合には、デジタル放送信号の受信状態が第三基準時間継続的に復帰条件を満たしているか判断する。ここでの判断結果が満たしているとの判断結果であった場合には、ステップＳ１４０８に移行する。ここでの判断結果が満たしていないとの判断結果であった場合には、本ステップを繰り返す。この処理は、主に安定状態判断部によって実行される（ステップＳ１４０６）。また、ステップＳ１４０５における判断結果が経過しているとの判断結果であった場合には、デジタル放送信号の受信状態が第一基準時間継続的に復帰条件を満たしているか判断する。ここでの判断結果が満たしているとの判断結果であった場合には、ステップＳ１４０８に移行する。ここでの判断結果が満たしていないとの判断結果であった場合には、本ステップを繰り返す。この処理は、主に安定状態判断部によって実行される（ステップＳ１４０７）。次に、ステップＳ１４０６又はステップＳ１４０７における判断結果が満たしているとの判断結果であった場合には、処理部への入力をデジタル放送信号出力に切り換える。この処理は、主にデジタル復帰手段又は第二デジタル復帰手段によって実行される（ステップＳ１４０８）。最後に、処理を終了するか判断する。ここでの判断が終了するとの判断結果であった場合には処理を終了する。ここでの判断が終了しないとの判断であった場合にはステップＳ１４０１に戻る。なお、処理が終了する場合とは、主に受信装置の電源がＯＦＦとなる等して受信装置による視聴が終了した場合等が該当する（ステップＳ１４０９）。また、ステップＳ１４０６における処理が一度でも実行された後の処理の流れは、ルート（１）を通り、ステップＳ１４０５における処理は実行されないこととなる。
【００３３】
（実施形態３：効果）本実施形態に係る受信装置においては、例えばデジタル放送信号の受信状態が不安定であって、デジタル復帰手段による切換復帰の条件に第一基準時間を採用してもデジタル放送とアナログ放送とが頻繁に切り換わってしまうような状況において、切換復帰の条件に第一基準時間よりも長い時間である第三基準時間を自動的に採用することで、デジタル放送とアナログ放送とが頻繁に切り換わることを軽減することができる。
（実施形態４）
【００３４】
（実施形態４：概要）実施形態４は、例えばデジタル放送信号の受信状態が不安定であるために所定の時間内にデジタル放送とアナログ放送とが所定の回数切り換わった場合には、デジタル復帰手段又は／及び第二デジタル復帰手段による復帰処理を不可とすることを特徴とする受信装置について説明する。
【００３５】
（実施形態４：構成）本実施形態に係る受信装置の機能ブロックを図１５に例示する。本実施形態に係る受信装置の構成は、実施形態１から３のいずれか一に係る受信装置の構成に「復帰後切換回数判断手段」（１５１１）と、「復帰処理中止命令出力手段」（１５１２）と、「復帰処理中止命令キャンセル手段」（１５１３）を加えた構成となっている。図１５においては、実施形態３に係る受信装置の構成に「復帰後切換回数判断手段」（１５１１）と、「復帰処理中止命令出力手段」（１５１２）と、「復帰処理中止命令キャンセル手段」（１５１３）を加えた構成を一例として図示している。受信装置（１５００）は、「デジタル放送信号出力部」（１５０１）と、「アナログ放送信号出力部」（１５０２）と、「処理部」（１５０３）と、「切換部」（１５０４）と、「安定状態判断部」（１５０５）と、「第一基準時間保持部」（１５０８）と、「管理部」（１５０９）と、を有する。また、前記切換部（１５０４）は、「アナログ切換手段」（１５０６）と、「デジタル復帰手段」（１５０７）と、「第二デジタル復帰手段」（１５１０）と、「復帰後切換回数判断手段」（１５１１）と、「復帰処理中止命令出力手段」（１５１２）と、「復帰処理中止命令キャンセル手段」（１５１３）と、を有する。
【００３６】
「復帰後切換回数判断手段」（１５１１）は、前記アナログ切換手段（１５０６）による切換後に前記デジタル復帰手段（１５０７）又は／及び第二デジタル復帰手段（１５１０）による復帰切換と、アナログ切換手段（１５０６）による切換が、所定の時間である第四基準時間内に所定の回数実行されたか判断する機能を有する。「所定の回数」をカウントするに際して、復帰切換は、デジタル復帰手段（１５０７）による復帰切換のみを対象とする場合や、第二デジタル復帰手段（１５１０）による復帰切換のみを対象とする場合や、デジタル復帰手段（１５０７）及び第二デジタル復帰手段（１５１０）による復帰切換を対象とする場合が考えられる。「第四基準時間」と「所定の回数」は、適宜変更できるようになっていてもよい。また、第四基準時間は受信装置内のＲＡＭやＨＤＤ等の所定の記憶領域などに格納されていることが想定される。図１６を用いて、復帰後切換回数判断手段における処理を説明する。なお、切換条件と復帰条件は図５に示した条件と同一であるとする。また、図１６においては、前記所定の回数をカウントするに際してデジタル復帰手段（１５０７）による復帰切換のみを対象とする場合を一例として示す。また、「Ｔ１」、「Ｔ４」は、それぞれ第一基準時間、第四基準時間を表す。図１６は、グラフ１６０１にてデジタル放送信号におけるＢＥＲ値に基づいて「１／ＢＥＲ値」の遷移を示している。また、初期状態としてはデジタル放送信号の受信状態が良好であって、デジタル放送信号出力が前記処理部にて処理されていたとする。初期状態から、時刻（Ａ）において１／ＢＥＲ値が切換条件である"ＢＥＲ値≧１×１０−６"を満たすため、アナログ切換手段（１５０６）によって処理部への入力がアナログ放送信号出力に切り換えられる。次に、時刻（Ｂ）において復帰条件である"ＢＥＲ値<１×１０−７"を満たしたとする。また、さらに復帰条件である"ＢＥＲ値<１×１０−７"の状態が"Ｔ１"時間継続することが必要であるので、時刻（Ｂ）から"Ｔ１"時間経過した時刻（Ｃ）においてデジタル復帰手段（１５０７）によって処理部への入力がデジタル放送信号出力に切り換えられる。また、時刻（Ｄ）において１／ＢＥＲ値が切換条件を満たすため、アナログ切換手段（１５０６）によって処理部への入力がアナログ放送信号出力に切り換えられる。以後、同様に、時刻（Ｅ）、時刻（Ｇ）にてデジタル復帰手段（１５０７）による処理が、時刻（Ｆ）、時刻（Ｈ）にてアナログ切換手段（１５０６）による処理が行なわれたとする。このような場合、例えば、時刻（Ａ）におけるアナログ復帰手段（１５０６）による処理を基準とすると、時刻（Ａ）から"Ｔ４"時間の間にデジタル復帰手段による復帰切換とアナログ切換手段による切換が３回行なわれたことになる。ここで、前記「所定の回数」が例えば"３回"という値であれば、復帰後切換回数判断手段において"所定の回数実行された"という判断結果を、前記「所定の回数」が例えば"５回"という値であれば、復帰後切換回数判断手段において"所定の回数実行されていない"という判断結果を出力する。「判断結果を出力する」とは、具体的には、例えば判断結果を示す情報をＲＡＭ等の所定の記憶領域に格納すること等が該当す��。また、前記所定の回数をカウントする具体的な方法として、例えば最初のアナログ切換手段による切換以降のアナログ切換手段による切換の回数をカウントするとともに切換時間等を履歴として保持しておき、第四基準時間内にカウント数が所定の回数に達しない場合には、カウント数を１減らして一番古い履歴を削除し、一番古い履歴の切換時間から第四基準時間内にカウント数が所定の回数に達するか判断することを繰り返す方法などが考えられる。
【００３７】
「復帰処理中止命令出力手段」（１５１２）は、前記復帰後切換回数判断手段（１５１１）での判断結果が所定の回数実行されたとの判断結果である場合には、前記デジタル復帰手段（１５０７）又は／及び第二デジタル復帰手段（１５１０）による復帰処理を不可とする復帰処理中止命令を出力する機能を有する。復帰処理中止命令の出力先は主にデジタル復帰手段又は／及び第二デジタル復帰手段（１５１０）が想定される。また、「復帰処理中止命令」とは、具体的には、例えば、デジタル復帰手段又は／及び第二デジタル復帰手段を実現するプログラムを実行不可能にする命令であったり、デジタル復帰手段又は／及び第二デジタル復帰手段を実現するためのハードウェアへの電源供給を停止する命令であったりすることが想定される。図１７は、復帰後切換回数判断手段における処理を例示する。復帰後切換回数判断手段は、例えば、前記復帰後切換回数判断手段（１５１１）にてＲＡＭ等の所定の記憶領域に格納されている判断結果を読出し、読出した判断結果が所定の回数実行されたとの判断結果である場合には、ＲＡＭ等の所定の記憶領域に格納されている変数「ｆｌａｇ＿ｅｘｅｃｕｔｉｏｎ」の値を"０"に変更する。ここで、「ｆｌａｇ＿ｅｘｅｃｕｔｉｏｎ」はプログラム上の変数であり、値が"０"であれば前記デジタル復帰手段又は／及び前記第二デジタル復帰手段を実現するプログラムが実行不可であることを表し、値が"１"であれば前記デジタル復帰手段又は／及び前記第二デジタル復帰手段を実現するプログラムが実行可能であることを表す変数である。また、復帰処理中止命令出力手段はこのような処理をＣＰＵに実行させるためのプログラムを含んでいてもよい。
【００３８】
「復帰処理中止命令キャンセル手段」（１５１３）は、前記復帰処理中止命令出力手段（１５１２）により中止している前記デジタル復帰手段（１５０７）又は／及び第二デジタル復帰手段（１５１０）による復帰処理の再開を可能とする処理を実行する機能を有する。また、「前記デジタル復帰手段又は／及び第二デジタル復帰手段による復帰処理の再開を可能とする処理」とは、具体的には、例えば、デジタル復帰手段又は／及び前記第二デジタル復帰手段を実現するプログラムを実行可能にする処理であったり、デジタル復帰手段又は／及び前記第二デジタル復帰手段を実現するためのハードウェアへの電源供給を再開する処理であったりすることが想定される。また、例えば受信装置（１５００）の電源がＯＦＦとなることにより前記復帰処理中止命令出力手段（１５１２）にて出力された命令による中止状態が解除される場合等も含む。また、例えば前記復帰処理中止命令出力手段（１５１２）により復帰処理中止命令が出力された際にタイマーを開始させ、タイマーが一定時間経過すると自動的に復帰処理の再開を可能とする処理を実行するようになっていてもよい。図１８は、復帰処理中止命令キャンセル手段における処理を例示する。復帰処理中止命令キャンセル手段は、例えば、ＲＡＭ等の所定の記憶領域に格納されている変数「ｆｌａｇ＿ｅｘｅｃｕｔｉｏｎ」の値を"１"に変更する。また、復帰処理中止命令キャンセル手段はこのような処理をＣＰＵに実行させるためのプログラムを含んでいてもよい。
【００３９】
（実施形態４：処理の流れ）図１９は、本実施形態に係る受信装置の特徴である、復帰後切換回数判断手段と復帰処理中止命令出力手段における処理の流れを示すフロー図を例示する。
【００４０】
最初に、デジタル復帰手段又は／及び第二デジタル復帰手段による復帰切換と、アナログ切換手段による切換が、第四基準時間内に所定の回数実行されたかを判断する。ここでの判断結果が所定の回数実行されたとの判断結果であった場合には、ステップＳ１９０２に移行する。ここでの判断結果が所定の回数実行されていないとの判断結果であった場合には処理を終了する。この処理は、主に復帰後切換回数判断手段によって実行される（ステップＳ１９０１）。次に、ステップＳ１９０１における判断結果が所定の回数実行されたとの判断結果であった場合には、前記デジタル復帰手段又は／及び第二デジタル復帰手段による復帰処理を不可とする復帰処理中止命令を出力する。この処理は、主に復帰処理中止命令出力手段によって実行される（ステップＳ１９０２）。
【００４１】
（実施形態４：効果）本実施形態に係る受信装置においては、例えばデジタル放送信号の受信状態が不安定であって、所定の時間内にデジタル放送とアナログ放送とが所定の回数切り換わってしまうような状況において、常時ユーザに対してアナログ放送を提供することができる。
【図面の簡単な説明】
【００４２】
【図１】実施形態１に係る受信装置の機能ブロック図
【図２】一般的なコンピュータの構成の一例図
【図３】デジタル放送信号出力部のハードウェア構成の一例図
【図４】アナログ放送信号出力部のハードウェア構成の一例図
【図５】切換条件と復帰条件の一例図
【図６】アナログ切換手段とデジタル復帰手段における処理を説明する図
【図７】アナログ切換手段とデジタル復帰手段における処理を説明する図
【図８】実施形態１に係る受信装置の処理の流れを示すフロー図
【図９】実施形態２に係る受信装置の機能ブロック図
【図１０】第一基準時間保持部の構成の一例図
【図１１】管理部における処理の一例図
【図１２】実施形態３に係る受信装置の機能ブロック図
【図１３】第二デジタル復帰手段における処理を説明する図
【図１４】実施形態３に係る受信装置の処理の流れを示すフロー図
【図１５】実施形態４に係る受信装置の機能ブロック図
【図１６】復帰後切換回数判断手段における処理を説明する図
【図１７】復帰処理中止命令出力手段における処理の一例図
【図１８】復帰処理中止命令キャンセル手段における処理の一例図
【図１９】実施形態４に係る受信装置の処理の流れを示すフロー図
【図２０】アナログ放送とデジタル放送における放送波受信状態と画像や音声の品質の関係を表す図
【符号の説明】
【００４３】
０１００    受信装置
０１０１    デジタル放送信号出力部
０１０２    アナログ放送信号出力部
０１０３    処理部
０１０４    切換部
０１０５    安定状態判断部
０１０６    アナログ切換手段
０１０７    デジタル復帰手段
【図１】
2007124390.tif 000003
【図２】
2007124390.tif 000004
【図３】
2007124390.tif 000005
【図４】
2007124390.tif 000006
【図５】
2007124390.tif 000007
【図６】
2007124390.tif 000008
【図７】
2007124390.tif 000009
【図８】
2007124390.tif 000010
【図９】
2007124390.tif 000011
【図１０】
2007124390.tif 000012
【図１１】
2007124390.tif 000013
【図１２】
2007124390.tif 000014
【図１３】
2007124390.tif 000015
【図１４】
2007124390.tif 000016
【図１５】
2007124390.tif 000017
【図１６】
2007124390.tif 000018
【図１７】
2007124390.tif 000019
【図１８】
2007124390.tif 000020
【図１９】
2007124390.tif 000021
【図２０】
2007124390.tif 000022